(57)【特許請求の範囲】
【請求項１】
表面に感光層形成用塗布液を浸漬塗布した、円筒軸を垂直に保持した円筒状基体の下端部内面および下端部外面の塗膜を除去するための除去装置であって、前記円筒軸を回転軸として回転して下端部内面を摺動するブラシおよび該ブラシと一体的に回転して下端部外面を摺動するブラシを備え、対向する二種のブラシは回転軸に対して略垂直な同一平面上にあり、かつ毛先同志が直接相対しないように互いの位置関係を周方向に異なる位置と大きさを選択して配置されてなる電子写真感光体製造用塗膜除去装置。
【請求項２】
下端部内面を摺動するブラシが複数のブラシ群からなる請求項１記載の電子写真感光体製造用塗膜除去装置。
【請求項３】
下端部外面を摺動するブラシが複数のブラシ群からなる請求項１または２記載の電子写真感光体製造用塗膜除去装置。
【請求項４】
請求項１〜３のいずれかに記載の電子写真感光体製造用塗膜除去装置２基からなり、第１の装置のブラシの毛長が第２の装置のそれよりも短い電子写真感光体製造用塗膜除去装置。
【発明の詳細な説明】
【０００１】
【発明の属する技術分野】
本発明は、電子写真感光体を製造する際に用いられる塗膜除去装置に関する。詳しくは、電子写真感光体基体端部の感光層形成用塗布液塗膜を除去する装置に関する。
【０００２】
【従来の技術】
アルミニウム、ステンレススチールおよび黄銅等の金属製の円筒状基体上に、感光層形成用塗布液を浸漬塗布して電子写真感光体を製造することは広く行われている。この場合、浸漬された部分は塗膜が形成されることになる。しかし、電子写真感光体の両端部には導通を取る必要があったり、各種部材を接続させたりするために塗膜が無い方が望ましい。一端部については無塗膜部分を造るように、その部分を塗布液に浸漬しないよう円筒軸を垂直に吊り下げて塗布すれば比較的容易に、無塗膜部分が形成されるが、その場合、下端部については、浸漬する際に下端から塗布液中に浸漬するので、必ず塗膜が形成されてしまう。その場合、例えば、円筒状基体上端を密閉して基体内に気体を存在させて塗布液中に浸漬しても、下端部内面の塗膜の形成は避けられない。そのために浸漬塗布法の場合には、一旦形成された塗膜を部分的に除去する必要があった。
【０００３】
【発明が解決しようとする課題】
本発明は、円筒状基体を、円筒軸を垂直に吊り下げて感光層形成用塗布液中に浸漬して、表面に塗膜が形成された基体の下端部内面及び外面の塗膜をブラシを用いて摩擦除去する装置を提供するものである。
ブラシを用いて基体表面に形成されている塗膜を除去する場合に問題となることは、基体表面に傷を付けてしまうこと及び塗膜の除去不足や精度不良または、ブラシに含ませた拭き取り液のはねによる塗膜の乱れ等である。これに対して、ブラシの毛長を長くして基体表面への傷を防止する方法をとると、塗膜が除去不足や精度不良を招くおそれがあり、又ブラシのタッチ代を小さくすることにより基体表面への傷の防止を図る方法もあるが、これも塗膜除去不足という問題をおこしやすい。また、基体の内面と外面を同時にブラシで拭き取る場合に、相対する内面塗膜除去用のブラシと外面塗膜除去用のブラシの毛先が接触してブラシの状態を乱し、その結果基体が導入されてブラシが摺動し、塗膜除去を行う際に同じく塗膜除去不足や精度不良という問題をおこす。そこでブラシが接触しないように内外面塗膜除去ブラシの高さ位置をずらす方法も考えられるが、これも塗膜除去不足や精度不良の原因となる。
本発明者は以上記載したような塗膜除去不足や精度不良といった問題のない端部内外面の塗膜を同時に除去し得る優れた装置につき種々検討を重ねて、本発明に到達した。
【０００４】
【課題を解決するための手段】
即ち、本発明は表面に感光層形成用塗布液を浸漬塗布した、円筒軸を垂直に保持した円筒状基体の下端部内面および下端部外面の塗膜を除去するための除去装置であって、前記円筒軸を回転軸として回転して下端部内面を摺動するブラシおよび該ブラシと一体的に回転して下端部外面を摺動するブラシを備え、対向する二種のブラシは回転軸に対して略垂直な同一平面上にあり、かつ毛先同志が直接相対しないように互いの位置関係を周方向に異なる位置と大きさを選択して配置されてなる電子写真感光体製造用塗膜除去装置を要旨とするものである。
また、本発明は上記装置において下端部内面を摺動するブラシが複数のブラシ群からなることを特徴とする電子写真感光体製造用塗膜除去装置を要旨とするものである。
また、上記装置において下端部外面を摺動するブラシが複数のブラシ群からなることを要旨とするものである。
更にまた本発明は、上記のいずれかに記載の電子写真感光体製造用塗膜除去装置２基からなり、第１の装置のブラシの毛先が第の装置のそれよりも短い電子写真感光体製造用塗膜除去装置を要旨とするものである。
以下、本発明を詳細に説明する。
【０００５】
【発明の実施の形態】
図１は、本発明の特徴であるブラシ部分の説明図であり、図２は、本発明の電子写真感光体製造用塗膜除去装置の説明図である。図中、１は感光体基体端部の外面塗膜除去ブラシであり、２は内面塗膜除去ブラシであり、３は円筒状基体を本発明装置にセットして端部の内、外面の塗膜除去操作を行う場合に円筒状の感光体基体のガイドとなるコーンであり、４は感光体基体である。
【０００６】
図２に示すように、浸漬塗布工程で表面に感光層形成用塗布液を塗布され、塗膜が形成された感光体基体４がその端部内面および外面の塗膜を除去するために、円筒軸を垂直に上から降下してくる。それに先立って塗膜除去ブラシは拭き取り液槽（図示せず）中で回転しながらブラシを洗浄し、拭き取り液を含んで上昇し、静止または回転しながら待機している。円筒状の感光体基体４がコーン３によりガイドされて内面塗膜除去ブラシ２と外面塗膜除去ブラシ１の間に端部を入れてセットされる。そこで内面塗膜除去ブラシ２と外面塗膜除去ブラシ１は回転してそれぞれ感光体基体４の内面と外面を擦りながら塗膜をその摩擦力と拭き取り液の溶解力で除去していく。塗膜が十分に精度よく除去されると感光体基体４は上昇して除去装置から離れる。内、外面塗膜除去ブラシ１，２は下降して、拭き取り液槽中で洗浄され、拭き取り液を含んで上昇し、次の塗膜除去操作に備えて待機する。
【０００７】
本発明においては、内面塗膜除去ブラシ２と外面塗膜除去ブラシ１は図１に示すように除去ブラシ１と２は毛先同志が互いに相対しないよう配置されている。つまり内面塗膜除去ブラシ２の毛先前面には外面塗膜除去ブラシ１は存在しない。そのような位置関係を保持しつつ回転するのである。そのためにブラシが感光体基体と離れている時でもお互いブラシの毛先が触れ合ってブラシの状態を乱し、ブラシの毛先が曲ったり絡まってしまうような恐れはなく、良好なコンディションの下に感光体基体に接触、摺動することとなり、塗膜の除去不足や精度不良を招くようなことがなく、良好な感光体を製造することができる。
【０００８】
更に、この装置を二基設置し、第１基のブラシの毛長を第２基の装置のそれよりも短くし、第１基で精度よく塗膜除去を行い、第２基でソフトに仕上げるようにすることにより、全体として、より基体表面に傷を付けることなく塗膜除去ができる装置とすることができる。この場合、ブラシの毛長は具体的には、例えば第１基においては７ｍｍ、第２基においては１０ｍｍとする。
端部の塗膜除去は、特に外面をより完全にしかも基体表面に傷を付けずに除去することが重要であり、従って二段階での塗膜除去は端部外面に主に施されることが多い。
【０００９】
【実施例】
以下、本発明を実施例を挙げて具体的に説明するが、本発明はこの実施例に限定されるものではない。
実施例１
表面に下記構造式Ａで示されるアゾ顔料１００重量部、ポリビニルブチラール樹脂１００重量部、溶媒としてジメトキシエタンとペントキソンの９：１（重量比）混合物４８００重量部からなる固形分濃度４重量％の電荷発生層塗布液を浸漬塗布し、乾燥させ、次いで、下記構造式Ｂで示されるヒドラゾン化合物１００重量部、ポリカーボネート樹脂１００重量部、溶媒として１，４−ジオキサンとテトラヒドロフランの４：６（重量比）混合物４６７重量部からなる固形分濃度３０重量％の電荷輸送層塗布液を浸漬塗布して感光層を形成した外径１００ｍｍ、長さ３４０ｍｍ、肉厚１．５ｍｍのアルミニウム製円筒状基体を、図２の装置に供給してその下端部内面および外面の塗膜除去を実施した。
予め下降してテトラヒドロフランからなる塗膜拭き取り液中にて洗浄処理し、拭き取り液を含んだ内面塗膜除去ブラシ２と外面塗膜除去ブラシ１を上昇させて回転させながら待機させる。なお除去ブラシ２および１は共にナイロン製、毛長７ｍｍ、直径８０μｍのブラシを用いた。除去ブラシ１および２の接触代は１．５ｍｍである。
【００１０】
感光層形成用塗布液を塗布した前記円筒状アルミニウム製基体をコーン３に沿って下降させ、下端部を内面塗膜除去ブラシ２と外面塗膜除去ブラシ１との間に挿入して停止させる。円筒状基体はそこでその下端部内面と外面の塗膜が塗膜除去ブラシ１および２の回転摩擦力とそれらに含まれた拭き取り液の作用で除去される。除去に要する時間は約３０秒であった。得られた円筒状基体は下端部内面および外面の塗膜が完全に除去されており、外面の塗膜の荒れもみられなかった。
【００１１】
【化１】
0003845465.tif 000002
【００１２】
【発明の効果】
本発明の装置は、電子写真感光体形成用塗布液を浸漬塗布した円筒状基体の一端部の内面および外面の塗膜を完全にしかも精度よく除去することができ、しかも基体表面に傷を付けることもないことから、電子写真感光体の製造に益するところ大である。
【図面の簡単な説明】
【図１】本発明の電子写真感光体製造用塗膜除去装置の塗膜除去ブラシの部分の説明図である。
【図２】本発明の電子写真感光体製造用塗膜除去装置の説明図である。
【符号の説明】
１    外面塗膜除去ブラシ
２    内面塗膜除去ブラシ
３    コーン
４    感光体基体
【図１】
0003845465.tif 000003
【図２】
0003845465.tif 000004